(57)【特許請求の範囲】
【請求項１】
アモルファスシリコンで形成された光導電層を有する円筒状の電子写真感光体と、前記電子写真感光体の表面を帯電する帯電装置と、前記電子写真感光体の表面に画像露光光を照射して前記電子写真感光体の表面に静電潜像を形成する画像露光装置とを有し、かつ、前記電子写真感光体の表面温度を制御する手段を有しない電子写真装置において、
前記電子写真感光体が、その表面温度によって感光体特性が変化する感光体特性の温度依存性を有し、
前記電子写真感光体を、その円筒軸方向に２等分して２つの領域に分けたとき、前記２つの領域における前記感光体特性の温度依存性の絶対値が同一でなく、
前記２つの領域のうち、前記感光体特性の温度依存性の絶対値が小さい方の領域を第１の領域とし、大きい方の領域を第２の領域としたとき、前記電子写真装置で画像形成を行った場合の前記第１の領域の表面温度の変化が前記第２の領域の表面温度の変化よりも大きくなるように、前記電子写真感光体が前記電子写真装置内に配置されている
ことを特徴とする電子写真装置。
【請求項２】
前記電子写真感光体のある箇所における前記感光体特性の温度依存性をα［Ｖ／℃］とし、前記表面温度の変化をΔＴ［℃］としたとき、αとΔＴとの積であるα・ΔＴの値が最大となる箇所のα・ΔＴの値と最小となる箇所のα・ΔＴの値との差Δ（α・ΔＴ）が、画像形成を行った場合の前記電子写真感光体の表面における画像露光光が照射された部分の電位と画像露光光が照射されていない部分の電位との差で定義される潜像コントラスト電位Ｖｃ［Ｖ］との間で、下記式で示される関係を満足する請求項１に記載の電子写真装置。
Δ（α・ΔＴ）≦０．０７・Ｖｃ
【請求項３】
前記電子写真感光体の感光体特性の温度依存性の程度が、前記電子写真感光体の円筒軸方向の一端側から他端側に向けて単調に増加しており、前記電子写真装置で画像形成を行った場合の前記電子写真感光体の表面温度の変化の程度が、前記電子写真感光体の円筒軸方向の一端側から他端側に向けて単調に減少している請求項１または２に記載の電子写真装置。
【請求項４】
前記帯電装置が、前記電子写真感光体の円筒軸方向に略平行に配置されており、
前記電子写真装置が、前記帯電装置の長手方向の一端側から前記帯電装置内に空気を供給する給気装置、または、前記帯電装置の長手方向の一端側から前記帯電装置内の空気を排出する排気装置をさらに有する請求項１〜３のいずれか１項に記載の電子写真装置。
【請求項５】
前記電子写真装置がＢＡＥ方式の電子写真装置であり、前記感光体特性が前記電子写真感光体の帯電特性である請求項１〜４のいずれか１項に記載の電子写真装置。
【請求項６】
前記電子写真装置がＩＡＥ方式の電子写真装置であり、前記感光体特性が前記電子写真感光体の感度特性である請求項１〜４のいずれか１項に記載の電子写真装置。
【発明の詳細な説明】
【技術分野】
【０００１】
本発明は、電子写真装置に関する。
【背景技術】
【０００２】
電子写真装置は、例えば、複写機、ファクシミリ、プリンターとして広く利用されている。また、電子写真装置に使用される電子写真感光体として、アモルファスシリコンで形成された光導電層（感光層）を有する電子写真感光体（アモルファスシリコン電子写真感光体）がよく知られている。
【０００３】
図２は、電子写真感光体用ヒーターを有する従来の電子写真装置の例を示す図である。
図２に示す電子写真装置では、電子写真感光体２００１の内部に電子写真感光体用ヒーター２０１０が設置されており、これによって、電子写真感光体２００１の表面温度が制御される。
【０００４】
図２において、矢印の方向に回転駆動される電子写真感光体２００１の表面は、帯電装置２００２によって帯電される。電子写真感光体２００１の表面の帯電電位は、帯電装置２００２内の帯電ワイヤー２０１１に流す電流値によって調整される。次いで、電子写真感光体２００１の表面には、画像露光装置（不図示）から画像露光光２００３が照射され、電子写真感光体２００１の表面に静電潜像が形成される。その後、電子写真感光体２００１の表面に形成された静電潜像は、現像装置２００４から供給されるトナーによって現像され、電子写真感光体２００１の表面にトナー像が形成される。
【０００５】
その後、電子写真感光体２００１の表面に形成されたトナー像は、転写装置２００５によって転写材２００６に転写される。次いで、電子写真感光体２００１の表面から転写材２００６が分離され、その後、転写材２００６に転写されたトナー像は、定着装置（不図示）によって転写材２００６に定着される。
【０００６】
一方、転写材２００６に転写されずに電子写真感光体２００１の表面に残留したトナーは、クリーニング装置２００７内のクリーニングブレード２００８によって除去される。
その後、電子写真感光体２００１の表面には、前露光装置（不図示）から前露光光２００９が照射され、電子写真感光体２００１の表面は除電される。
【０００７】
この一連のプロセスを繰り返すことで、連続的に画像形成（画像出力）が行われる。
近年、電子写真装置を用いて写真や絵などの画像を出力する機会が増えてきており、その結果、電子写真画像の高画質化への要求が高まってきている。特に、画像濃度ムラ（画像濃度の不均一性）は、人の目によって容易に判別可能なこともあり、画像濃度ムラの低減に対する要求は特に高まってきている。
【０００８】
画像濃度ムラが発生する要因の１つとして、電子写真感光体の帯電特性や感度特性などの感光体特性のムラ（不均一性）が挙げられる。感光体特性のムラは、電子写真感光体を構成する膜の膜質や膜厚のムラ（不均一性）に起因することが多い。
【０００９】
近年は、電子写真感光体の製造方法の改良により、電子写真感光体を構成する膜の膜質や膜厚のムラの低減が進んできた結果、画像濃度ムラの低減も進んできている。
【００１０】
また、特許文献１には、電子写真感光体の内部に複数の発熱手段を配置し、各発熱手段の温度を制御することによって、画像濃度ムラを抑制する技術が開示されている。
【先行技術文献】
【特許文献】
【００１１】
【特許文献１】特開平７−２０９９３０号公報
【発明の概要】
【発明が解決しようとする課題】
【００１２】
昨今、電子写真装置には、高画質化のみならず、環境への配慮の観点から省電力化も求められてきており、電子写真感光体用ヒーターを有しない電子写真装置が望まれている。
しかしながら、電子写真感光体用ヒーターのような電子写真感光体の表面温度を制御する手段を有しない電子写真装置においては、画像濃度ムラを十分に抑制することができない場合があり、いまだ改善の余地を有しているのが現状である。
【００１３】
本発明の目的は、電子写真感光体用ヒーターのような電子写真感光体の表面温度を制御する手段を有しない電子写真装置であっても、画像濃度ムラが抑制された電子写真装置を提供することである。
【課題を解決するための手段】
【００１４】
本発明者らは、電子写真感光体用ヒーターを有しない電子写真装置における画像濃度ムラの抑制を実現するために検討した結果、画像形成（画像出力）時に電子写真感光体に表面温度ムラが生じることが、画像濃度ムラが発生する要因の１つであることを見出した。
【００１５】
本発明は、アモルファスシリコンで形成された光導電層を有する円筒状の電子写真感光体と、前記電子写真感光体の表面を帯電する帯電装置と、前記電子写真感光体の表面に画像露光光を照射して前記電子写真感光体の表面に静電潜像を形成する画像露光装置とを有し、かつ、前記電子写真感光体の表面温度を制御する手段を有しない電子写真装置において、
前記電子写真感光体が、その表面温度によって感光体特性が変化する感光体特性の温度依存性を有し、
前記電子写真感光体を、その円筒軸方向に２等分して２つの領域に分けたとき、前記２つの領域における前記感光体特性の温度依存性の絶対値が同一でなく、
前記２つの領域のうち、前記感光体特性の温度依存性の絶対値が小さい方の領域を第１の領域とし、大きい方の領域を第２の領域としたとき、前記電子写真装置で画像形成を行った場合の前記第１の領域の表面温度の変化が前記第２の領域の表面温度の変化よりも大きくなるように、前記電子写真感光体が前記電子写真装置内に配置されている
ことを特徴とする電子写真装置である。
【発明の効果】
【００１６】
本発明によれば、電子写真感光体用ヒーターのような電子写真感光体の表面温度を制御する手段を有しない電子写真装置であっても、画像濃度ムラが抑制された電子写真装置を提供することができる。
【図面の簡単な説明】
【００１７】
【図１】電子写真感光体用ヒーターを有しない電子写真装置の例を示す図である。
【図２】電子写真感光体用ヒーターを有する従来の電子写真装置の例を示す図である。
【図３】帯電装置周りのエアフロー構成の例を示す図である。
【図４】帯電装置周りのエアフロー構成の例を示す図である。
【図５】堆積膜形成装置の例を示す図である。
【図６】（ａ）は電子写真感光体の感光体特性の温度依存性ムラの例を示す図であり、（ｂ）は画像形成（画像出力）を繰り返すことによって生じる電子写真感光体の表面温度ムラの例を示す図であり、（ｃ）は電子写真感光体の感光体特性の温度依存性ムラの例を示す図であり、（ｄ）は画像形成（画像出力）を繰り返すことによって生じる電子写真感光体の表面温度ムラの例を示す図である。
【図７】電子写真感光体の例を示す図である。
【図８】電子写真感光体の製造装置におけるガス管の例を示す図である。
【図９】電子写真感光体の感光体特性の測定装置の例を示す図である。
【図１０】電子写真感光体の例を示す図である。
【発明を実施するための形態】
【００１８】
本発明の電子写真装置は、上述したように、電子写真感光体の表面温度を制御する手段（例えば、電子写真感光体用ヒーターなど）を有しない電子写真装置である。そして、本発明の電子写真装置に用いられる電子写真感光体（以下「本発明に係る電子写真感光体」ともいう。）は、その表面温度によって感光体特性が変化する感光体特性の温度依存性を有するものである。また、本発明に係る電子写真感光体は、これを円筒軸方向（回転軸方向）に２等分して２つの領域に分けたとき、それら２つの領域における感光体特性の温度依存性の絶対値が同一でないものである。すなわち、本発明に係る電子写真感光体の温度依存性は、電子写真感光体の円筒軸方向でムラ（温度依存性ムラ）が存在するものである。
【００１９】
そして、本発明の電子写真装置は、上記２つの領域のうち、感光体特性の温度依存性の絶対値が小さい方の領域を第１の領域とし、大きい方の領域を第２の領域としたとき、電子写真装置で画像形成（画像出力）を行った場合の第１の領域の表面温度の変化が第２の領域の表面温度の変化よりも大きくなるように、電子写真感光体が電子写真装置内に配置されていることを特徴としている。
【００２０】
上記構成によって画像濃度ムラを抑制することができる理由について、本発明者らは以下のように考えている。
画像濃度ムラが発生する原因の１つに、画像形成（画像出力）時における電子写真感光体の表面電位ムラが挙げられる。
【００２１】
画像形成（画像出力）時は、電子写真装置内での空気の流れの不均一性の影響で、電子写真感光体に表面温度ムラが生じやすい。電子写真感光体は、帯電条件や画像露光条件を一定（一様）にしたとしても、電子写真感光体の表面の温度のムラ（表面温度ムラ）によって、電子写真感光体の帯電特性や感度特性などの感光体特性が不均一になり、その結果、電子写真感光体の表面の電位にムラ（表面電位ムラ）が生じやすい。
【００２２】
電子写真感光体用ヒーターなどの電子写真感光体の表面温度を制御する手段を有する従来の電子写真装置では、電子写真感光体の表面温度の分布を一様に近づけるように制御することで、電子写真感光体の表面電位ムラを抑制していた。
【００２３】
しかしながら、環境への配慮の観点から、電子写真感光体用ヒーターなどの電子写真感光体の表面温度を制御する手段を有さない電子写真装置とした場合、電子写真感光体の表面温度を制御する手段を有する電子写真装置に比べて、表面電位ムラを十分に抑制することができない。
【００２４】
電子写真装置内で空気の不均一な流れが発生する原因の１つとして、電子写真感光体の円筒軸方向に略平行に配置されている帯電装置周りの給気や排気の構成（以下「エアフロー構成」とも表記する。）が挙げられる。帯電装置周りのエアフロー構成は、一般的に、帯電装置周りで発生するオゾン生成物を電子写真装置外に排出する目的で設置されている。帯電装置周りのエアフロー構成としては、例えば、帯電装置の長手方向の一端側から帯電装置内に空気（エア）を供給する給気装置や、帯電装置の長手方向の一端側から帯電装置内の空気（エア）を排出する排気装置などが挙げられる。
【００２５】
図３および図４は、それぞれ、帯電装置周りのエアフロー構成の例を示す図である。図３（ｂ）は図３（ａ）に示すエアフロー構成をＥの方向から見た場合の図である。図４（ｂ）は図４（ａ）に示すエアフロー構成をＧの方向から見た場合の図である。
【００２６】
図３に示すエアフロー構成においては、帯電ワイヤー３００５が設置された帯電装置３００１の上方に給気ダクト３００２が設けられており、防塵フィルター３００３および給気ファン３００４を介して、外部から帯電装置３００１に空気（エア）が供給される。
ここで、帯電装置３００１内において空気の流れを均一に近づけるには、帯電装置３００１の下方（図３中のＦ方向）に排気ダクト（不図示）を設けることが好ましい。
【００２７】
しかしながら、帯電装置３００１のＦ方向には、電子写真感光体が位置するため、そのような排気ダクトを設けることは困難である。
【００２８】
したがって、通常の電子写真装置においては、メンテナンス性などの観点から、図４のように、帯電ワイヤー４００７が設置された帯電装置４００１の片側に排気ダクト４００５が設けられた構成が一般的である。そのため、排気ダクト４００５側とその反対側とでは空気の流れが不均一となり、排気ダクト４００５側の空気の流れの方が速くなる。その結果、電子写真感光体の表面温度を制御する手段を有しない電子写真装置においては、排気ダクト４００５側の電子写真感光体４００６の表面温度が反対側の表面温度と比べて低くなり、電子写真感光体４００６に表面温度ムラが生じるのである。
【００２９】
図４に示すエアフロー構成においても、図３に示すエアフロー構成と同様に、帯電ワイヤー４００７が設置された帯電装置４００１の上方に給気ダクト４００２が設けられており、防塵フィルター４００３および給気ファン４００４を介して、外部から帯電装置４００１に空気（エア）が供給される。
【００３０】
なお、図４に示すエアフロー構成は、給気ファン４００４により帯電装置４００１内に空気の流れを発生させる構成であるが、給気ファンの代わりに排気ファンを用いることで、図４に示すエアフロー構成における空気の流れとは逆方向の空気の流れを発生させる構成とすることもできる。その場合においても、上記と同様に電子写真感光体に表面温度ムラが生じる。
【００３１】
これに対して、本発明の電子写真装置では、電子写真感光体を円筒軸方向に２等分した２つの領域のうち、感光体特性の温度依存性の絶対値が小さい方の領域（第１の領域）の表面温度の変化が、感光体特性の温度依存性の絶対値が大きい方の領域（第２の領域）の表面温度の変化よりも大きくなるように、電子写真感光体が電子写真装置内に配置されている。
【００３２】
このように電子写真感光体が電子写真装置内に配置されていることによって、第２の領域の表面温度の変化が第１の領域の表面温度の変化よりも大きくなるように電子写真感光体が電子写真装置内に配置されている場合に比べて、画像形成（画像出力）時の電子写真感光体の表面温度ムラを抑制することができ、その結果、電子写真感光体の表面電位ムラを抑制することができる。
その結果、画像形成（画像出力）時の電子写真感光体の表面電位ムラに起因する画像濃度ムラを抑制することができる。
【００３３】
なお、本発明において、電子写真感光体の感光体特性とは、電子写真感光体の表面温度に左右される電子写真感光体の特性であって、電子写真感光体の表面電位を左右する電子写真感光体の特性を意味し、例えば、帯電特性や感度特性などが含まれる。
【００３４】
また、本発明において、感光体特性の温度依存性は、帯電条件や画像露光条件などを調整し、電子写真感光体の表面電位を所定の値に合わせた後、電子写真感光体の表面温度を変化させた際の表面電位の変化率［Ｖ／℃］で表されるパラメーターである。
【００３５】
電子写真感光体の感光体特性のうちの少なくとも１種が本発明の条件を満足していれば、本発明の範囲に含まれるが、感光体特性の中でも帯電特性および感度特性の少なくとも一方が本発明の条件を満足していることが好ましい。特に、電子写真装置が、ＢＡＥ方式（Background Area Exposure、電子写真感光体の表面における画像露光光が照射されていない部分がトナーによって現像される電子写真方式）の電子写真装置である場合は、電子写真感光体の帯電特性が本発明の条件を満足していることがより好ましい。一方、電子写真装置が、ＩＡＥ方式（Image Area Exposure、電子写真感光体の表面における画像露光光が照射された部分がトナーによって現像される電子写真方式）の電子写真装置である場合は、電子写真感光体の感度特性が本発明の条件を満足していることがより好ましい。
【００３６】
また、電子写真感光体の表面温度ムラの原因の１つとして、帯電装置のエアフロー構成の例を挙げたが、一般的に電子写真装置の構成は、メンテナンス性の観点などから、電子写真感光体の表面に対して均一になっていないため、電子写真感光体の表面温度ムラの原因は、エアフロー構成に限られるものではない。電子写真感光体の表面温度ムラの原因がどのようなものであっても、本発明の効果を得ることはできる。
【００３７】
また、本発明における、電子写真感光体の表面温度ムラや感光体特性の温度依存性ムラとは、電子写真感光体の円筒軸方向でのムラを意味する。
【００３８】
図１は、電子写真感光体用ヒーターを有しない電子写真装置の例を示す図である。
図１に示す電子写真装置による電子写真画像の形成は以下のように行われる。
【００３９】
図１において、矢印の方向に回転駆動される電子写真感光体１００１の表面は、帯電装置１００２によって帯電される。電子写真感光体１００１の表面の帯電電位は、帯電装置１００２内の帯電ワイヤー１０１１に流す電流値によって調整される。次いで、電子写真感光体１００１の表面には、画像露光装置（不図示）から画像露光光１００３が照射され、電子写真感光体１００１の表面に静電潜像が形成される。その後、電子写真感光体１００１の表面に形成された静電潜像は、現像装置１００４から供給されるトナーによって現像され、電子写真感光体１００１の表面にトナー像が形成される。
【００４０】
その後、電子写真感光体１００１の表面に形成されたトナー像は、転写装置１００５によって転写材１００６に転写される。次いで、電子写真感光体１００１の表面から転写材１００６が分離され、その後、転写材１００６に転写されたトナー像は、定着装置（不図示）によって転写材１００６に定着される。
【００４１】
一方、転写材１００６に転写されずに電子写真感光体１００１の表面に残留したトナーは、クリーニング装置１００７内のクリーニングブレード１００８によって除去される。
【００４２】
その後、電子写真感光体１００１の表面には、前露光装置（不図示）から前露光光１００９が照射され、電子写真感光体１００１の表面は除電される。
この一連のプロセスを繰り返すことで、連続的に画像形成（画像出力）が行われる。
【００４３】
図５は、ＲＦ帯（１３．５６ＭＨｚ）の高周波電源を用いたＲＦプラズマＣＶＤ法によって円筒状のアモルファスシリコン電子写真感光体を製造するために用いられる、堆積膜形成装置の例を示す図である。
図５に示す堆積膜形成装置は、主として、反応容器５０００、および、反応容器５０００内を減圧するための排気装置５００１から構成されている。反応容器５０００の内部には、アースに接続された円筒状補助基体５００２、円筒状基体５００３を加熱するための円筒状基体用ヒーター５００４、および、ガス導入管５００５が設置されている。また、反応容器５０００の側壁部は、主として、導電性材料からなる放電電極５００６で構成されており、放電電極５００６と反応容器５０００の他の部分は、絶縁碍子５００７によって絶縁されている。放電電極５００６には、マッチングボックス５００８を介して、１３．５６ＭＨｚの高周波電源５００９が接続されている。
【００４４】
原料ガス供給手段（不図示）を構成する各ボンベは、原料ガス導入バルブ５０１０を介して反応容器５０００の内部のガス導入管５００５に接続されている。
反応容器５０００は、排気管５０１１を有し、メインバルブ５０１３を介して排気装置５００１で真空排気されうる。
【００４５】
以下、図５に示す堆積膜形成装置を用いた電子写真感光体の製造方法の例を説明する。
旋盤などで鏡面加工が施された表面を有する円筒状基体５００３を、反応容器５０００の内部の円筒状基体用ヒーター５００４を取り囲むように円筒状補助基体５００２の上に設置し、キャップ５０１４を設置する。
次に、メインバルブ５０１３を開いて反応容器５０００およびガス導入管５００５の内部を排気する。真空計５０１２の読みが所定の圧力（例えば、１Ｐａ）以下になった時点で原料ガス導入バルブ５０１０を開き、加熱用の不活性ガス（例えば、アルゴンガス）をガス導入管５００５より反応容器５０００の内部に導入する。そして、反応容器５０００の内部が所定の圧力になるように、加熱用の不活性ガスの流量、メインバルブ５０１３の開口量、排気装置５００１の排気速度などを調整する。
【００４６】
その後、温度コントローラー（不図示）を作動させて、円筒状基体用ヒーター５００４により円筒状基体５００３を加熱し、円筒状基体５００３の温度を所定の温度（例えば、５０〜５００℃）に制御する。円筒状基体５００３が所定の温度になったところで、不活性ガスを徐々に止めながら、堆積膜形成用の原料ガスを反応容器５０００の内部に徐々に導入する。原料ガスとしては、例えば、ＳｉＨ４、Ｓｉ２Ｈ６などの水素化ケイ素ガスやＣＨ４、Ｃ２Ｈ６などの炭化水素ガスなどの材料ガス、Ｂ２Ｈ６、ＰＨ３などのドーピングガスなどが挙げられる。原料ガスの導入の際には、マスフローコントローラー（不図示）によって、原料ガスが所定の流量になるように調整する。その際に、反応容器５０００の内部の圧力を所定の値に維持するように、真空計５０１２を見ながら、メインバルブ５０１３の開口量、排気装置５００１の排気速度などを調整する。
【００４７】
以上の手順によって堆積膜形成の準備を完了した後、円筒状基体５００３上に堆積膜を形成する。反応容器５０００の内部の圧力が安定したのを確認した後に、高周波電源５００９を所定の電力に設定して高周波電力を放電電極５００６に供給し、反応容器５０００の内部で高周波グロー放電を生起させる。このときマッチングボックス５００８を調整して、反射電力が最小となるようにし、高周波電力の入射電力から反射電力を差し引いた実効値を所定の値にする。この放電エネルギーによって、反応容器５０００の内部に導入した原料ガスが分解され、円筒状基体５００３上に堆積膜が形成される。なお、堆積膜の形成を行っている間は、円筒状基体５００３をその中心軸線周りに駆動装置（不図示）によって所定の速度で回転させてもよい。所定の膜厚の堆積膜が形成された後に、高周波電力の供給を止め、反応容器５０００の内部への原料ガスの流入を止める。必要に応じて、原料ガスの種類、高周波電力などの条件を変更して、複数の堆積膜を順次形成する。その後、反応容器５０００の内部をいったん高真空にしてから、堆積膜形成を終える。
【００４８】
以上の操作によって、電子写真感光体を製造することができる。
図６（ａ）は、上記製造方法で製造されたアモルファスシリコン電子写真感光体における、感光体特性（帯電特性や感度特性など）の温度依存性の円筒軸方向のムラ（温度依存性ムラ）の例を示す図である。温度依存性ムラの形状は、電子写真感光体の円筒軸方向で多少の変曲点を持つが、円筒軸方向の全般に渡って概ねなだらかに変化した形状となっている。上記のような通常の製造方法で製造したアモルファスシリコン電子写真感光体においては、その製造方法の性質上、温度依存性ムラは、図６（ａ）に示すような、なだらかな形状が一般的であり、局所的に大きく変化するようなムラが発生することはない。
【００４９】
したがって、図７に示すように電子写真感光体７００１を円筒軸方向に２等分して２つの領域（領域Ｈと領域Ｉ）に分け、領域Ｈと領域Ｉのそれぞれの範囲で電子写真感光体の温度依存性を平均化し、温度依存性の平均値の絶対値をもって、電子写真感光体の温度依存性の絶対値の大小関係を決定することができる。本発明においては、このようにして温度依存性の絶対値の大小関係を決定した。
【００５０】
また、図６（ｂ）は、電子写真装置で（連続的に）画像形成（画像出力）を行った場合に生じる電子写真感光体の表面温度の円筒軸方向のムラ（表面温度ムラ）の例を示す図である。表面温度ムラの形状は、電子写真感光体の円筒軸方向で多少の変曲点を持つが、円筒軸方向の全般に渡って概ねなだらかに変化した形状となっている。通常の構成の電子写真装置で（連続的に）画像形成（画像出力）を行った場合は、電子写真装置内で発生する電子写真感光体の表面温度ムラは、図６（ｂ）に示すような、なだらかな形状になるのが一般的であり、局所的に大きく変化するようなムラが発生することはない。
【００５１】
したがって、図７に示すように電子写真感光体７００１を円筒軸方向で２等分して２つの領域（領域Ｈと領域Ｉ）に分け、領域Ｈと領域Ｉのそれぞれの範囲で電子写真感光体の表面温度を平均化することで、電子写真感光体の表面温度の変化の大小関係を決定することができる。本発明においては、このようにして表面温度の変化の大小関係を決定した。
【００５２】
また、本発明においては、電子写真感光体のある箇所における感光体特性の温度依存性をα［Ｖ／℃］とし、表面温度の変化をΔＴ［℃］としたとき、αとΔＴとの積であるα・ΔＴの値が最大となる箇所のα・ΔＴの値と最小となる箇所のα・ΔＴの値との差Δ（α・ΔＴ）は、画像形成（画像出力）を行った場合の電子写真感光体の表面における画像露光光が照射された部分の電位と画像露光光が照射されていない部分の電位との差で定義される潜像コントラスト電位Ｖｃ［Ｖ］との間で、下記式で示される関係を満足することが好ましい。
Δ（α・ΔＴ）≦０．０７・Ｖｃ
【００５３】
Δ（α・ΔＴ）が０．０７・Ｖｃ以下であれば、連続した画像形成（画像出力）の前後における画像濃度ムラの変動が小さく抑えられる。したがって、Δ（α・ΔＴ）が０．０７・Ｖｃ以下であれば、初期（連続した画像形成（画像出力）の前）の状態での画像濃度ムラの抑制のレベルが、画像形成（画像出力）を連続して行った後でも維持されやすい。
【００５４】
また、本発明においては、電子写真感光体の感光体特性の温度依存性の程度が、電子写真感光体の円筒軸方向の一端側から他端側に向けて単調に増加している場合に、電子写真装置で画像形成（画像出力）を行った場合の電子写真感光体の表面温度の変化の程度は、電子写真感光体の円筒軸方向の一端側から他端側に向けて単調に減少していることが好ましい。ここでいう単調な増加または減少とは、例えば、図６（ｃ）や図６（ｄ）に示すように、円筒軸方向の全般に渡って変曲点を持たずに増加または減少することを意味する。図６（ａ）や図６（ｂ）に示すように変曲点を持つ形状での増加または減少は、単調な増加または減少に当たらない。
なお、電子写真感光体の感光体特性の温度依存性ムラの形状は、例えば、図５に示す堆積膜形成装置のガス導入管を調整することで、変化させることができる。
【００５５】
また、電子写真感光体の表面温度ムラは、例えば、図４に示すエアフロー構成において、給気や排気を強くし、温度変化の他の要因を小さくすることで、図６（ｄ）に示すような単調に変化する形状にすることができる。
【実施例】
【００５６】
以下、実施例および比較例により本発明をさらに詳しく説明するが、本発明はこれらに制限されるものではない。
【００５７】
（実施例１−１〜１−５）
旋盤を用いて長さ３５８ｍｍのアルミニウム製の円筒体の表面（周面）を鏡面加工し、長さ３５８ｍｍ、外径８０ｍｍの円筒状基体を合計５本作製した。
【００５８】
次に、図５に示す堆積膜形成装置を用いて、表１に示す条件で、各円筒状基体上にそれぞれ電荷注入阻止層、第一光導電層、第二光導電層、中間層および表面層の堆積膜をこの順に形成することによって、合計５本の電子写真感光体を製造した。これらを実施例１−１〜１−５の電子写真感光体とする。
【００５９】
【表１】
0005988800.tif 000002
表１中の矢印「⇒」は、ガスの流量を左の値から右の値に漸減または漸増させていることを意味する。
【００６０】
なお、本実施例においては、図５に示すガス管５００５として、図８（ａ）に示すようにガス吹き出し穴８００１が分布したガス管８００２を用い、図８（ｂ）に示すように反応容器８００３の内部に１６本のガス管８００２を配置した。
また、図８（ａ）に示すように、ガス管８００２におけるガス吹き出し穴８００１の分布は概ね均一になっている。
【００６１】
次に、図９に示す電子写真感光体の感光体特性の測定装置を用いて、以下に示す方法で、製造した各電子写真感光体の帯電特性（感光体特性）の温度依存性（αａ）を測定し、電子写真感光体の帯電特性の温度依存性ムラを求めた。結果を、後述の比較例１−１〜１−５の結果とともに、表２に示す。電子写真感光体の帯電特性の温度依存性ムラの値は、製造上のバラツキにより、各電子写真感光体で異なっていた。
【００６２】
【表２】
0005988800.tif 000003
【００６３】
なお、各電子写真感光体の帯電特性の温度依存性ムラの形状は、図６（ａ）に示すように一部変曲点を持つ形状であった。
【００６４】
次に、電子写真感光体用ヒーターを有しない構成に改造したキヤノン（株）製の電子写真方式の複写機（商品名：ｉＲ５０７５）に電子写真感光体を設置し、温度１５℃／相対湿度５０％の低温環境下において、印字率１％のＡ４テストパターンを用いて、５０００枚の連続画像出力を行った。連続画像出力の前後で電子写真感光体の表面温度の変化（ΔＴａ）を以下に示す方法で測定し、電子写真感光体の表面温度ムラを求めた。結果を表３に示す。
【００６５】
【表３】
0005988800.tif 000004
【００６６】
表３からわかるように、連続画像出力を行うことで、電子写真感光体の表面温度が変動し、電子写真感光体の表面温度ムラが生じることがわかる。
なお、本実施例においては、図４に示すエアフロー構成を採用した。
また、連続画像出力前後における電子写真感光体の表面温度ムラの形状は、図６（ｄ）に示すように、変曲点を持たず単調に変化する形状であった。
【００６７】
次に、製造した各電子写真感光体を、それぞれ、上述したキヤノン（株）製の電子写真方式の複写機（商品名：ｉＲ５０７５）に設置した。その際、連続画像出力前後での電子写真感光体の表面温度の変化が大きい方に、電子写真感光体の帯電特性の温度依存性の絶対値が小さい部分を設置した。また、電子写真感光体の表面温度の変化が小さい方に、電子写真感光体の帯電特性の温度依存性の絶対値が大きい部分を設置した。なお、電子写真感光体の帯電特性の温度依存性や表面温度の変化の大小関係は、表２および表３より決定した。
【００６８】
各電子写真感光体の帯電特性の温度依存性（αａ）の測定結果と５０００枚の連続画像出力前後での電子写真感光体の表面温度の変化（ΔＴａ）の測定結果から、各電子写真感光体を上記位置関係で上記複写機に設置した状態での、αａ・ΔＴａの最大値と最小値を算出した。最大値と最小値の差Δ（αａ・ΔＴａ）を表４に示す。
【００６９】
【表４】
0005988800.tif 000005
【００７０】
次に、温度１５℃／相対湿度５０％の低温環境下において、印字率１％のＡ４テストパターンを用いて５０００枚の連続画像出力を行った。
【００７１】
（電子写真感光体の帯電特性の温度依存性ムラの測定方法）
図９は、電子写真感光体の感光体特性の測定装置の例を示す図である。電子写真感光体９００１の周囲に、帯電装置９００２、画像露光光９００３を照射する画像露光装置（不図示）、温度センサー（（株）キーエンス製、商品名：ＩＴ２−０１）９０１３、および、前露光光９００９を照射する前露光装置（不図示）が配置されている。さらに、図１における現像装置１００４の位置に現像装置１００４に代えて電位センサー（表面電位計）（トレック社製、商品名：ＭＯＤＥＬ３４４）９０１２が配置されている。さらに、電子写真感光体９００１の内部には電子写真感光体用ヒーター９０１０が配置されている。
【００７２】
電子写真感光体９００１を矢印の方向に回転させ、所定の条件に設定された前露光装置（不図示）により前露光光９００９を電子写真感光体９００１の表面に照射した。次に、電子写真感光体９００１の表面温度を温度センサー９０１３でモニターし、表面温度が所定の値（以下「Ｔ１」とする。）になるように電子写真感光体用ヒーター９０１０を制御した。表面温度がＴ１の状態での電位センサー９０１２における暗部電位が所定の電位（以下「Ｖ１」とする。）になるように、帯電装置９００２に設置された帯電ワイヤー９０１１に流す電流値を調整した。ここで、電位Ｖ１は、電子写真感光体１周分の平均値である。
次に、前露光装置（不図示）や帯電装置９００２の条件は変更せずに、電子写真感光体９００１の表面温度が所定の値（以下「Ｔ２」とする。）になるように電子写真感光体用ヒーター９０１０を制御した。表面温度Ｔ２の状態での電位センサー９０１２における暗部電位を測定した（以下「Ｖ２」とする。）。ここで、電位Ｖ２は、電子写真感光体１周分の平均値である。
【００７３】
下記式によって算出される値を、電子写真感光体の帯電特性の温度依存性とした。
電子写真感光体の帯電特性の温度依存性＝（Ｖ１−Ｖ２）／（Ｔ１−Ｔ２）
なお、本実施例においては、Ｔ１＝２５℃、Ｔ２＝４０℃、Ｖ１＝５００Ｖとした。
電子写真感光体の円筒軸方向の中心位置を０ｍｍとし、両端部に向けて２０ｍｍ刻みに全１５点の測定位置を決定し、各測定位置において上述した方法で電子写真感光体の帯電特性の温度依存性を測定した。
【００７４】
図７に示すように電子写真感光体を円筒軸方向で２等分し、領域Ｈと領域Ｉのそれぞれの範囲で帯電特性の温度依存性の測定値を平均化し、その絶対値をもって電子写真感光体の帯電特性の温度依存性ムラとした。ここで、０ｍｍ位置の測定値は、領域Ｈおよび領域Ｉの両方に含まれている。
【００７５】
（電子写真感光体の表面温度ムラの測定方法）
電子写真感光体の円筒軸方向の中心位置を０ｍｍとし、両端部に向けて２０ｍｍ刻みに全１５点の測定位置を決定し、各測定位置において周方向９０°刻みに４点の表面温度を測定して平均値を求めた。なお、電子写真感光体の表面温度の測定には、接触温度計（安立計器（株）製、商品名：ＨＦＴ−５１）を用いた。
図１０に示すように、電子写真感光体１０００１を円筒軸方向で２等分し、帯電装置のエアフロー構成の排気側を領域Ｊ、他方側を領域Ｋとした。領域Ｊと領域Ｋのそれぞれの範囲で表面温度の測定値を平均化して表面温度とした。ここで、０ｍｍ位置の測定値は領域Ｊおよび領域Ｋの両方に含まれている。
【００７６】
（比較例１−１〜１−５）
実施例１−１〜１−５とそれぞれ同様にして製造した合計５本の電子写真感光体（比較例１−１〜１−５の電子写真感光体）を、それぞれ、上述した電子写真感光体用ヒーターを有しない構成に改造したキヤノン（株）製の電子写真方式の複写機（商品名：ｉＲ５０７５）に設置した。その際、連続画像出力前後での電子写真感光体の表面温度の変化が大きい方に、電子写真感光体の帯電特性の温度依存性の絶対値が大きい部分を設置した。また、電子写真感光体の表面温度の変化が小さい方に、電子写真感光体の帯電特性の温度依存性の絶対値が小さい部分を設置した。なお、電子写真感光体の帯電特性の温度依存性や表面温度の変化の大小関係は、実施例１−１〜１−５と同様に、表２および表３より決定した。
次に、温度１５℃／相対湿度５０％の低温環境下において、印字率１％のＡ４テストパターンを用いて５０００枚の連続画像出力を行った。
【００７７】
（画像濃度ムラの評価）
実施例１−１〜１−５および比較例１−１〜１−５で行った５０００枚の連続画像出力前後で、以下に示す方法で、画像濃度の測定を行い、画像濃度ムラの評価を行った。
結果を表５に示す。
【００７８】
（画像濃度ムラの評価方法）
電子写真感光体用ヒーターを有しない構成に改造したキヤノン（株）製の電子写真方式の複写機（商品名：ｉＲ５０７５）に電子写真感光体を設置し、画素密度が３７．５％となるハーフトーン画像を出力した。
なお、画像形成（画像出力）時の画像露光光が照射されていない部分の電位を５００Ｖとし、画像露光光が照射された部分の電位を１２０Ｖとし、潜像コントラスト電位Ｖｃを３８０Ｖとした。
得られた画像において、電子写真感光体１周分の領域を１８０等分（円筒軸方向１５等分×周方向１２等分）した。各ブロックの画像濃度を、反射濃度計（分光濃度計）（Ｘ−Ｒｉｔｅ社製、商品名：５０４分光濃度計）を用いて測定した。
次に、温度１５℃／相対湿度５０％の低温環境下において、印字率１％のＡ４テストパターンを用いて５０００枚の連続画像出力を行った後、ハーフトーン画像を出力した。得られた画像において上述した方法で、各ブロックの画像濃度を測定した。
各ブロックにおいて、５０００枚の連続出力形成前後での画像濃度の差分を求めた。得られた差分の最大値（Ｍａｘ）および最小値（Ｍｉｎ）からＭａｘ−Ｍｉｎを求め、画像濃度ムラの指標とした。よって値が小さいほど画像濃度ムラが小さい。
製造した各電子写真感光体において、比較例を基準として、以下のランクに区分した。結果を表５に示す。
Ａ：比較例に対して４０％未満。
Ｂ：比較例に対して４０％以上９５％未満。
Ｃ：比較例に対して９５％以上１０５％未満で同レベル。
Ｄ：比較例に対して１０５％以上。
なお、実施例１−１は比較例１−１を基準とし、実施例１−２は比較例１−２を基準とし、実施例１−３は比較例１−３を基準とし、実施例１−４は比較例１−４を基準とし、実施例１−５は比較例１−５を基準としている。
【００７９】
【表５】
0005988800.tif 000006
【００８０】
表５の結果から明らかなように、連続画像出力前後での電子写真感光体の表面温度の変化が大きい方に電子写真感光体の帯電特性の温度依存性の絶対値が小さい部分を設置し、表面温度の変化が小さい方に電子写真感光体の帯電特性の温度依存性の絶対値が大きい部分を設置することで、画像濃度ムラを抑制することができる。
【００８１】
（実施例２−１〜２−５）
旋盤を用いて長さ３５８ｍｍのアルミニウム製の円筒体の表面（周面）を鏡面加工し、長さ３５８ｍｍ、外径１０８ｍｍの円筒状基体を合計５本作製した。
【００８２】
次に、実施例１−１〜１−５と同様の方法で、各円筒状基体上にそれぞれ電荷注入阻止層、第一光導電層、第二光導電層、中間層および表面層の堆積膜をこの順に形成することによって、合計５本の電子写真感光体を製造した。これらを実施例２−１〜２−５の電子写真感光体とする。
【００８３】
次に、図９に示す電子写真感光体の感光体特性の測定装置を用いて、以下に示す方法で、製造した各電子写真感光体の感度特性の温度依存性（αｂ）を測定し、電子写真感光体の感度特性の温度依存性ムラを求めた。結果を、後述の比較例２−１〜２−５の結果とともに、表６に示す。電子写真感光体の感度特性の温度依存性ムラの値は、製造上のバラツキにより、各電子写真感光体で異なっていた。
【００８４】
【表６】
0005988800.tif 000007
【００８５】
なお、各電子写真感光体の感度特性の温度依存性ムラの形状は、図６（ａ）に示すように一部変曲点を持つ形状であった。
次に、電子写真感光体用ヒーターを有しない構成に改造したキヤノン（株）製の電子写真方式の複写機（商品名：ｉＲ７１０５）に電子写真感光体を設置し、実施例１と同様の方法で、５０００枚の連続画像出力の前後で電子写真感光体の表面温度の変化（ΔＴｂ）を測定し、電子写真感光体の表面温度ムラを求めた。結果を表７に示す。
【００８６】
【表７】
0005988800.tif 000008
【００８７】
表７からわかるように、連続画像出力を行うことで、電子写真感光体の表面温度が変動し、電子写真感光体の表面温度ムラが生じることがわかる。
なお、本実施例においては、図４に示すエアフロー構成を採用した。
なお、連続画像出力前後における電子写真感光体の表面温度ムラの形状は、図６（ｄ）に示すように、変曲点を持たず単調に変化する形状であった。
【００８８】
次に、製造した各電子写真感光体を、それぞれ、上述したキヤノン（株）製の電子写真方式の複写機（商品名：ｉＲ７１０５）に設置した。その際、連続画像出力前後での電子写真感光体の表面温度の変化が大きい方に、電子写真感光体の感度特性の温度依存性の絶対値が小さい部分を設置した。また、電子写真感光体の表面温度の変化が小さい方に、電子写真感光体の感度特性の温度依存性の絶対値が大きい部分を設置した。なお、電子写真感光体の感度特性の温度依存性や表面温度の変化の大小関係は、表６および表７より決定した。
【００８９】
各電子写真感光体の感度特性の温度依存性（αｂ）の測定結果と５０００枚の連続画像出力前後での電子写真感光体の表面温度の変化（ΔＴｂ）の測定結果から、各電子写真感光体を上記位置関係で上記複写機に設置した状態での、αｂ・ΔＴｂの最大値と最小値を算出した。最大値と最小値の差Δ（αｂ・ΔＴｂ）を表８に示す。
【００９０】
【表８】
0005988800.tif 000009
【００９１】
次に、温度１５℃／相対湿度５０％の低温環境下において、印字率１％のＡ４テストパターンを用いて５０００枚の連続画像出力を行った。
【００９２】
（電子写真感光体の感度特性の温度依存性ムラの測定方法）
図９に示す電子写真感光体の感光体特性の測定装置を用いた。
電子写真感光体９００１を矢印の方向に回転させ、所定の条件に設定された前露光装置（不図示）により前露光光９００９を電子写真感光体９００１の表面に照射した。次に、電子写真感光体９００１の表面温度を温度センサー９０１３でモニターし、表面温度が所定の値（以下「Ｔ３」とする。）になるように電子写真感光体用ヒーター９０１０を制御した。表面温度Ｔ３の状態での電位センサー９０１２における暗部電位が所定の電位になるように帯電装置９００２に設置された帯電ワイヤー９０１１に流す電流値を調整した。次に、画像露光光９００３の光量を調整して電位センサー９０１２における明部電位が所定の電位（以下「Ｖ３」とする。）になるようにした。ここで、電位Ｖ３は、電子写真感光体１周分の平均値である。
【００９３】
次に、前露光装置（不図示）、帯電装置９００２および画像露光装置（不図示）の条件は変更せずに、電子写真感光体９００１の表面温度が所定の値（以下「Ｔ４」とする）になるように電子写真感光体用ヒーター９０１０を制御した。表面温度Ｔ４の状態での電位センサー９０１２における明部電位を測定した（以下「Ｖ４」とする）。ここで、電位Ｖ４は、電子写真感光体１周分の平均値である。
下記式によって算出される値を、電子写真感光体の感度特性の温度依存性とした。
電子写真感光体の感度特性の温度依存性＝（Ｖ３−Ｖ４）／（Ｔ３−Ｔ４）
なお、本実施例においては、Ｔ３＝２５℃、Ｔ４＝４０℃、Ｖ３＝１００Ｖとした。
電子写真感光体の円筒軸方向の中心位置を０ｍｍとし、両端部に向けて２０ｍｍ刻みに全１５点の測定位置を決定し、各測定位置において上述した方法で電子写真感光体の感度特性の温度依存性を測定した。
図７に示すように電子写真感光体を円筒軸方向で２等分し、領域Ｈと領域Ｉのそれぞれの範囲で感度特性の温度依存性の測定値を平均化し、その絶対値をもって電子写真感光体の感度特性の温度依存性ムラとした。ここで、０ｍｍ位置の測定値は領域Ｈおよび領域Ｉの両方に含まれている。
【００９４】
（比較例２−１〜２−５）
実施例２−１〜２−５とそれぞれ同様にして製造した合計５本の電子写真感光体（比較例２−１〜２−５の電子写真感光体）を、それぞれ、上述した電子写真感光体用ヒーターを有しない構成に改造したキヤノン（株）製の電子写真方式の複写機（商品名：ｉＲ７１０５）に設置した。その際、連続画像出力前後での電子写真感光体の表面温度の変化が大きい方に、電子写真感光体の感度特性の温度依存性の絶対値が大きい部分を設置した。また、電子写真感光体の表面温度の変化が小さい方に、電子写真感光体の感度特性の温度依存性の絶対値が小さい部分を設置した。なお、電子写真感光体の感度特性の温度依存性や表面温度の変化の大小関係は、実施例２−１〜２−５と同様に、表６および表７より決定した。
次に、温度１５℃／相対湿度５０％の低温環境下において、印字率１％のＡ４テストパターンを用いて５０００枚の連続画像出力を行った。
【００９５】
（画像濃度ムラの評価）
実施例２−１〜２−５および比較例２−１〜２−５で行った５０００枚の連続画像出力前後で、実施例１−１〜１−５と同様の方法で、画像濃度の測定を行い、画像濃度ムラの評価を行った。
製造した各電子写真感光体において、比較例を基準として、以下のランクに区分した。結果を表９に示す。
Ａ：比較例に対して４０％未満。
Ｂ：比較例に対して４０％以上９５％未満。
Ｃ：比較例に対して９５％以上１０５％未満で同レベル。
Ｄ：比較例に対して１０５％以上。
なお、実施例２−１は比較例２−１を基準とし、実施例２−２は比較例２−２を基準とし、実施例２−３は比較例２−３を基準とし、実施例２−４は比較例２−４を基準とし、実施例２−５は比較例２−５を基準としている。
【００９６】
【表９】
0005988800.tif 000010
【００９７】
表９の結果から明らかなように、連続画像出力前後での電子写真感光体の表面温度の変化が大きい方に電子写真感光体の感度特性の温度依存性の絶対値が小さい部分を設置し、表面温度の変化が小さい方に電子写真感光体の感度特性の温度依存性の絶対値が大きい部分を設置することで、画像濃度ムラを抑制することができる。
【００９８】
（実施例３−１〜３−３）
旋盤を用いて長さ３５８ｍｍのアルミニウム製の円筒体の表面（周面）を鏡面加工し、長さ３５８ｍｍ、外径８０ｍｍの円筒状基体を合計３本作製した。
【００９９】
次に、本数以外は実施例１−１〜１−５と同様の方法で、各円筒状基体上にそれぞれ電荷注入阻止層、第一光導電層、第二光導電層、中間層および表面層の堆積膜をこの順に形成することによって、合計３本の電子写真感光体を製造した。これらを実施例３−１〜３−３の電子写真感光体とする。
【０１００】
なお、本実施例においては、図５に示すガス管５００５として、図８（ｃ）に示すようにガス吹き出し穴８００１が分布したガス管８００２を用い、図８（ｄ）に示すように反応容器８００３の内部に１６本のガス管８００２を配置した。
【０１０１】
また、図８（ｃ）に示すようにガス管８００２は、製造した電子写真感光体の感光体特性の温度依存性ムラを調整した結果、ガス管８００２における反応容器５０００上部側のガス吹き出し穴８００１の分布は不均一になっていた。
次に、実施例１−１〜１−５と同様の方法で、製造した各電子写真感光体の帯電特性の温度依存性（αａ）を測定し、電子写真感光体の帯電特性の温度依存性ムラを求めた。結果を、後述の比較例３−１〜３−３の結果とともに、表１０に示す。電子写真感光体の帯電特性の温度依存性ムラの値は、製造上のバラツキにより、各電子写真感光体ごとに異なっていた。
【０１０２】
【表１０】
0005988800.tif 000011
【０１０３】
なお、各電子写真感光体の帯電特性の温度依存性ムラの形状は、図６（ｃ）に示すように、変曲点を持たず単調に変化する形状であった。
なお、本実施例においては、実施例１−１〜１−５と同様、図４に示すエアフロー構成を採用した。
【０１０４】
次に、製造した各電子写真感光体を、それぞれ、電子写真感光体用ヒーターを有しない構成に改造したキヤノン（株）製の電子写真方式の複写機（商品名：ｉＲ５０７５）に設置した。その際、連続画像出力前後での電子写真感光体の表面温度の変化が大きい方に、電子写真感光体の帯電特性の温度依存性の絶対値が小さい部分を設置した。また、電子写真感光体の表面温度の変化が小さい方に、電子写真感光体の帯電特性の温度依存性の絶対値が大きい部分を設置した。なお、電子写真感光体の帯電特性の温度依存性や表面温度の変化の大小関係は、表１０および表３より決定した。
実施例１−１〜１−５と同様に、各電子写真感光体を上記位置関係で上記複写機に設置した状態での、αａ・ΔＴａの最大値と最小値を算出した。最大値と最小値の差Δ（αａ・ΔＴａ）を表１１に示す。
【表１１】
0005988800.tif 000012
次に、温度１５℃／相対湿度５０％の低温環境下において、印字率１％のＡ４テストパターンを用いて５０００枚の連続画像出力を行った。
【０１０５】
（比較例３−１〜３−３）
実施例３−１〜３−３とそれぞれ同様にして製造した合計３本の電子写真感光体（比較例３−１〜３−３の電子写真感光体）を、それぞれ、上述した電子写真感光体用ヒーターを有しない構成に改造したキヤノン（株）製の電子写真方式の複写機（商品名：ｉＲ５０７５）に設置した。その際、連続画像出力前後での電子写真感光体の表面温度の変化が大きい方に、電子写真感光体の帯電特性の温度依存性の絶対値が大きい部分を設置した。また、電子写真感光体の表面温度の変化が小さい方に、電子写真感光体の帯電特性の温度依存性の絶対値が小さい部分を設置した。なお、電子写真感光体の帯電特性の温度依存性や表面温度の変化の大小関係は、実施例３−１〜３−３と同様に、表１０および表３より決定した。
次に、温度１５℃／相対湿度５０％の低温環境下において、印字率１％のＡ４テストパターンを用いて５０００枚の連続画像出力を行った。
【０１０６】
（画像濃度ムラの評価）
実施例３−１〜３−３および比較例３−１〜３−３で行った５０００枚の連続画像出力前後で、実施例１−１〜１−５と同様の方法で、画像濃度の測定を行い、画像濃度ムラの評価を行った。
製造した各電子写真感光体において、比較例を基準として、以下のランクに区分した。結果を表１２に示す。
Ａ：比較例に対して４０％未満。
Ｂ：比較例に対して４０％以上９５％未満。
Ｃ：比較例に対して９５％以上１０５％未満で同レベル。
Ｄ：比較例に対して１０５％以上。
なお、実施例３−１は比較例３−１を基準とし、実施例３−２は比較例３−２を基準とし、実施例３−３は比較例３−３を基準としている。
【表１２】
0005988800.tif 000013
【０１０７】
表１２の結果から明らかなように、電子写真感光体の感光体特性（帯電特性）の温度依存性や表面温度の変化は、電子写真感光体の円筒軸方向（回転軸方向）で単調に増加または減少していることで、本発明の効果をより顕著に得られることがわかる。
【符号の説明】
【０１０８】
１００１  電子写真感光体
１００２  帯電装置
１００３  画像露光光
１００４  現像装置
１００５  転写装置
１００６  転写材
１００７  クリーニング装置
１００８  クリーニングブレード
１００９  前露光光
１０１１  帯電ワイヤー
【図１】
0005988800.tif 000014
【図２】
0005988800.tif 000015
【図３】
0005988800.tif 000016
【図４】
0005988800.tif 000017
【図５】
0005988800.tif 000018
【図６】
0005988800.tif 000019
【図７】
0005988800.tif 000020
【図８】
0005988800.tif 000021
【図９】
0005988800.tif 000022
【図１０】
0005988800.tif 000023